(57)【特許請求の範囲】
【請求項１】
ハンドル軸上の駆動歯車に噛合するピニオンを有しかつローターと一体的に回転する回転軸筒をリール本体に回転自在に支持すると共に該回転軸筒内に先端部にスプールを有するスプール軸を挿通して前後摺動できるようにした魚釣用スピニングリールにおいて、前記スプール軸を回転軸筒の前部においてローターとの間及び後部においてリール本体との間に夫々設けた前側軸受部材と後側軸受部材で回転軸筒の内周面に接触しないように前後摺動自在に軸受支持すると共に前記回転軸筒を支持するリール本体に設けたピニオン近傍の軸受部材は前記後側軸受部材と分離して互いに干渉しないようにしたことを特徴とする魚釣用スピニングリール。
【請求項２】
ピニオン近傍の軸受部材をピニオンの両側に設けたことを特徴とする請求項１記載の魚釣用スピニングリール。
【請求項３】
ピニオン近傍の軸受部材をピニオンの前部に設けたことを特徴とする請求項１記載の魚釣用スピニングリール。
【請求項４】
ピニオン近傍の軸受部材をピニオンの後側に設けたことを特徴とする請求項１記載の魚釣用スピニングリール。
【請求項５】
前側軸受部材をころがり部材で後側軸受部材を摺動性のよい部材で夫々形成したことを特徴とする請求項１乃至４何れか記載の魚釣用スピニングリール。
【請求項６】
前側軸受部材及び後側軸受部材の何れをもころがり部材で形成したことを特徴とする請求項１乃至４何れか記載の魚釣用スピニングリール。
【発明の詳細な説明】
【０００１】
【発明の属する技術分野】
本発明は魚釣用スピニングリールにおけるスプール軸と該スプール軸を挿通支持するローターを設けた回転軸筒との支持機構の改良に関する。
【０００２】
【従来の技術】
魚釣用スピニングにおいて先端にスプールを設けたスプール軸は、ハンドルで連動回転されるローターを有する回転軸筒内を前後往復摺動するように構成されているが、巻き取り操作時に回転軸筒との間の摩擦抵抗によって長期使用している間に摩耗して巻き取り作用が円滑にできなくなったり、巻き取り時の強負荷によって偏摩耗の原因になったり、接触面の仕上げ状態や油の潤滑性が低下すると喰い付きや焼き付き現象が生じたり、更には両者の接触面を高精度に仕上げる必要上コスト高になる等の不具合が生じ易い。これらの欠陥を防止するために実公昭５０−２４５４２号公報に見られるように、回転軸筒の内周面がスプール軸の外周面に直接接触せず微小間隙が形成されるように回転軸筒の前後部をスプール軸に軸受支持することが知られている。
【０００３】
【発明が解決しようとする課題】
しかしながら前記従来の方式は、回転軸筒における駆動歯車に噛合するピニオン部分を支持する軸受がスプール軸の外周をも支持するように構成されているため、特に巻き取り操作時に軸受に作用する強負荷によって回転軸筒にはその回転作用とスプール軸の前後摺動作用とを阻害する不必要な抵抗が生じてしまい、これが釣糸の巻き取り操作を円滑に行うことができないと共に偏磨耗性も発生し易く耐久性も低下せしめる欠陥がある。
【０００４】
本発明はこのような巻き取り操作の強負荷時における回転軸筒とスプールとの間に生じる前記欠陥を改善して巻き取り操作性と耐久性の向上を図るようにした魚釣用スピニングリールを提供することを目的とするものである。
【０００５】
【課題を解決するための手段】
本発明は前記目的を達成するために、ハンドル軸上の駆動歯車に噛合するピニオンを有しかつローターと一体的に回転する回転軸筒をリール本体に回転自在に支持すると共に該回転軸筒内に先端部にスプールを有するスプール軸を挿通して前後摺動できるようにした魚釣用スピニングリールにおいて、前記スプール軸を回転軸筒の前部においてローターとの間及び後部においてリール本体との間に夫々設けた前側軸受部材と後側軸受部材で回転軸筒の内周面に接触しないように前後摺動自在に軸受支持すると共に前記回転軸筒を支持するリール本体に設けたピニオン近傍の軸受部材は前記後側軸受部材と分離して互いに干渉しないようにしたことを特徴とするものであり、特に前記ピニオン近傍の軸受部は、ピニオンの両側に設けるか、或はピニオンの前側又は後側に設けることができ、また前記後側軸受部材はスプール軸の摺動作用に適するものが好適であるが、ころがり部材の軸受を利用することもできる。
【０００６】
【発明の実施の形態】
本発明の実施の形態を実施例の図面について説明すると、スピニングリールは、先端にスプール１を有するスプール軸２をリール本体３に支持された回転軸筒４内に挿通せしめてリール本体３内に設けられたトラバースカム機構等の摺動機構５によって往復摺動せしめると共に前記回転軸筒４には先端にローター６を固着し後部にハンドル軸７の駆動ギヤ８と噛合するピニオン９を設けてハンドル軸７の回動によりローター６を回転せしめて係止した釣糸をスプール１に巻着するように構成されている。
【０００７】
しかして前記スプール軸２は回転軸筒４の内周面と接触しないように微小間隙をもって挿通されると共に回転軸筒４の前部においてはローターナット１０′を介してローター９と一体的に固着された緩み止め部材１０に支持されたころがり部材からなる前側軸受部材１１で軸受されており、また回転軸筒４の後部においてはリール本体３に支持された摺動性が良好でかつ耐摩耗、低摩擦係数の材質、例えばポリアセタール、ポリフェニレンサルファイド、カーボン、セラミック等からなる後側軸受部材１２で軸受されている。
【０００８】
また前記回転軸筒４は、リール本体３に支持された前部ころがり軸受部材１３とピニオン９の前後両側におけるリール本体３に支持されたころがり軸受部材１４・１４によって回転自在に支持されている。なお図中１５はころがり部材からなる一方向クッラッチであり、リール本体３と回転軸筒４（回転軸筒４と一体回転する回転体）との間に設けられて、ローター６の逆転防止装置を構成している。
【０００９】
図３に示す第２実施例は、ピニオン９近傍の軸受部材１４をピニオン９の前側部だけに設けると共に前側軸受部材１１をローターナット１０′に設けたものであり、図４に示す第３実施例はこの第２実施例における後側軸受部材にころがり部材１２を使用したものである。また図５に示す第４実施例は、ピニオン９近傍の軸受部材１４をピニオン９の後側部だけに設けたものである。
【００１０】
本発明の実施例は上記のようにスプール軸２は前側軸受部材１１と後側軸受部材１２で、また回転軸筒４は前部軸受部材１３とピニオン９近傍の軸受部材１４で夫々軸受されて互いに直接干渉しないように支持されているので、釣糸巻き取り操作時にスプール軸２と回転軸筒４に夫々作用する負荷が分散され強負荷巻き取り操作時における軸受部の不必要な干渉による回転及び摺動作用の軸受抵抗の発生を極力軽減し円滑な巻き取り作用を行うことができると共にその耐久性も向上することができるものである。
【００１１】
【発明の効果】
本発明は回転軸筒とスプール軸の夫々軸受部を直接干渉しないように分離して支持するので、釣糸の巻き取り操作時に回転軸筒とスプール軸の夫々に作用する負荷を夫々の軸受部に分散させることになり、特に強負荷巻き取り操作時における軸受部の不必要な干渉による回転及び軸方向の軸受抵抗の発生を軽減防止することができ、円滑な巻き取り作用を行うことができると共に、偏磨耗性を防止してその耐久性も向上することができる。
【図面の簡単な説明】
【図１】本発明の一部切欠正面図。
【図２】本発明の要部の縦断正面図。
【図３】本発明の第２実施例の要部の縦断正面図。
【図４】本発明の第３実施例の要部の縦断正面図。
【図５】本発明の第４実施例の要部の縦断正面図
【符号の説明】
２  スプール軸
３  リール本体
４  回転軸筒
６  ローター
７  ハンドル軸
９  ピニオン
１１  前側軸受部材
１２  後側軸受部材
１４  軸受部材
【図１】
0003563656.tif 000002
【図２】
0003563656.tif 000003
【図３】
0003563656.tif 000004
【図４】
0003563656.tif 000005
【図５】
0003563656.tif 000006